(57)【要約】【課題】  大量の書類を安価に効率的に整理する書類棚を提供する。【解決手段】  フックのついた書類ケースに書類を入れるか、あるいは書類をフックのついたクリップで挟んで、書類棚にひっかけ、インデックスにより書類棚で区分けして、書類を整理することにより、解決する。【選択図】図１
2010094831.tif 000002
【特許請求の範囲】
【請求項１】
ひっかけることのできる形体をした書類ケースに、書類や書籍などを入れる、あるいは、書類や書籍に引っ掛ける器具を直接取り付け、それを棚にひっかけて、整理することを特徴とする書類棚。
【請求項２】
既存のクリアホルダーやファイル、ボックスのような様々な形のケースに、フックを取り付けた形状の書類ケース、あるいは、書類や書籍を直接フックのついたWクリップで挟んだものを、それをひっかけるレールを備えた書類棚にひっかけ、書類棚において、フックのついたインデックスで区分けし、大量の書類を整理することを特徴とする書類棚。
【発明の詳細な説明】
【技術分野】
【０００１】
本発明は、大量の書類を、安価に効率的に整理するための書類棚である。フックのついた専用の書類ケースに、ひとまとまりの書類を入れるか、あるいは、フックのついた書類クリップで挟んで、書類棚に引っ掛けて、書類棚においてフックのついたインデックスにより区分けし、整理することを特徴とする。
【背景技術】
【０００２】
大量の書類を整理する際、バインダーやクリアファイルなどに書類を入れ、棚やキャビネットに並べて保管する方法が、一般的である。書類数が限られる場合は、大型の書類ケースに保管することもある。
【０００３】
近年は、書類の保管場所とデータを、電子データにより管理する方法も考えられている。しかし多くは、ラベルで区別し、配置により整理されている。
電子データ化して、紙を使わない方法もとられているようだが、焼失や改ざん防止のため、多くの場合、書類による保存方法と併用されている。
【特許文献１】特開2000−128315号公開  保管物の管理システム
【発明の開示】
【発明が解決しようとする課題】
【０００４】
バインダーやファイルなど既存の文具に書類をはさむ場合、1区分の書類が大量であれば、バインダーなどが複数にまたがってしまう。またバインダーが分厚いと、つかみにくく、かつ重くなってしまい、取り扱いに不自由である。添付書類があるときは、バインダーなどに挟み込むのが、困難なときがある。一方、１区分の書類が少ないと、不必要に分厚いクリアファイルなど置くことになり、融通がきかない。またバインダーが広がったり、倒れたりするので、ブックエンドを必要とする。
【０００５】
また、従来の方法だと、書類の継ぎ足しや、削除も面倒である。最前面や最後尾であればマシであるが、バインダーの真ん中あたりの書類を挿入、削除したい場合、綴じ直さなければならず、時間と労力がかかる。閲覧や改正のため、取り出したり、入れたりする場合も、同様の面倒さがある。
【０００６】
これらの問題を解決し、さらに構造は単純で、安価で簡単に製作できるデザインとする。
【課題を解決するための手段】
【０００７】
フック（図4. 3）のついた書類ケース（図2）に、ひとまとめにしたい書類を入れ、書類棚のレール（図1. 2）に引っ掛ける。または、書類を、フックのついた書類クリップ（図3）で挟み、レールに引っ掛ける。インデックス（図5）により、書類棚において書類を区分けして整理する（図1 A）。
【発明の効果】
【０００８】
本発明により、大量の書類の整理が安価でかつ簡便に行える。書類がどんなに増えても、必要な書類が即座に取り出せ、挿入、削除も簡単に行える。既製のバインダーやボックスを必要とせず、分厚い書類の束の取り扱いに難儀しない。ブックエンドも必要ない。
【発明を実施するための最良の形態】
【０００９】
書類棚は、従来からの一般的な形状の書類収納棚に、書類ケース（図2）を引っ掛けるためのレーン（図1. 2）を、棚（図1. 1）の上部に持つ（図1）。書類ケースのフック（図1. 3）の位置により、レーンの位置が決まる。棚の段数に指定はなく、棚板の間隔は、レーンに掛けられた書類ケースが入る高さであれば良い。
【００１０】
レーンの素材は、書類ケースが支えられる強度があれば、特にこだわらない。レーンの形状にも指定はなく、図1 A. 2のように棒状が適当であるが、図1 B. 2のように、板状であっても良い。重い書類を置く場合は、レーンに引っ掛けてぶら下げるより、棚に固定する方が適当かもしれない（図１B）。書類棚の形体は、実質的には書類をひっかけるレーン（図1. 2）と、埃よけの屋根があれば最低限の条件を満たす。
【００１１】
書類ケースは、様々な厚さのボックス型（図2 A）、あるいはクリアホルダー型（図2 B）のケースに、書類棚にひっかけるためのフック（図2. 3）がコーナーに付いた形が基本である（図2）。フックとケースの結合部は、書類の重量に耐えられる形状であれば特にこだわらない。一例として、図4に示した。ボックス型ケース（図2 A）の場合、一方の面に板状の長めに伸ばしたフックの足（図4. 5）を接着剤で付ける。フックの形状は、レーンの形状にフィットして引っ掛けやすければ良い。レーンが棒状のときのフックの形を幾つか例示した（図4. 3）。フックの素材も、書類ケースの重量に耐えられるものであれば、問わない。
【００１２】
クリアホルダー型の書類ケース（図2 B）は、クリアホルダーの開放側の上部のコーナーにフックが付いた形状で、フックの取り付け方に指定はない。一例として、図2 Bのように、開放側の側面の両側にフックの足（図2 B. 5）を接着剤で貼り付ける方法を示した。この書類ケースは、書類を挟み引っかけることで、自重でクリアホルダーが閉じる。そのことで、書類がしっかりクリアホルダー内に仕舞い込まれると同時に、厚みが小さくなり多くの書類ケースを書類棚に並べることができる。
【００１３】
書類クリップ（図3）は、ダブルクリップ（図3. 8）の背側にフックの足（図3. 5）が接着した形状が最も簡単で、ダブルクリップで書類や書籍を挟み、フック（図3. 3）を書類棚のレーンに引っ掛けて、書類を整理する（図1A）。素材は、書類の重量に耐えられるものであれば良い。
【００１４】
厚みのあるボックス型の書類ケースにはネーム（図1 B. 10）がついていて、中身を示せると良い。薄いボックス型やクリアホルダー型の書類ケースには、書類棚に入れたとき見えるところに、フラッグインデックス（図2. 9）が付いていると、便利だと思われる。書類棚において、書類を区分するので、書類棚専用のインデックス（図5）があった方が良い。図5に形体の1例を示した。インデックスに書類棚にひっかけるためのフック（図5. 3）が付いており、レーンに引っ掛けることができる。インデックスは、見易ければ良く、特に素材やデザインにこだわりはない（図5）。
【産業上の利用可能性】
【００１５】
本発明は、構造が単純なので、工業的に量産でき、製造コストも低減でき、産業上の利用可能性を有する。
【図面の簡単な説明】
【００１６】
【図１】書類棚の実施例を示した説明図。
【図２】書類ケースの例。
【図３】書類クリップの例。
【図４】フックの例。
【図５】書類の区分に用いるハンガー型インデックスの例。
【符号の説明】
【００１７】
１    棚
２    レール
３    フック
４    ボックス
５    フックの足
６    クリアホルダー
７    レバー
８    ダブルクリップ
９    フラッグインデックス
１０  ネーム
１１  インデックス
【図１】
2010094831.tif 000003
【図２】
2010094831.tif 000004
【図３】
2010094831.tif 000005
【図４】
2010094831.tif 000006
【図５】
2010094831.tif 000007